(57)【要約】【課題】情報量の多い画面向けデータを情報量の少ない画面向けデータにユーザ側の指示に応じて変更する場合に、ユーザの意向に合った変更を容易に実現できるようにする。【解決手段】携帯電話機１は、画面甲Ｄ１及び画面乙Ｄ２を備え、情報量の多い画面向けデータの概観が画面（ユーザ選択用画面）Ｄ２上に案内表示されている状態において、任意のコンテンツが選択される毎に、Ｗｅｂサーバ２を経由して取得した選択コンテンツの内容を画面甲Ｄ１に配置表示させながら情報量の多い画面向けデータを情報量の少ない画面向けデータに変更する。【選択図】  図１
2013153795.tif 000002
【特許請求の範囲】
【請求項１】
情報量の多い画面向けデータを情報量の少ない画面向けデータとして表示可能な携帯端末装置であって、
複数のコンテンツを含む情報量の多い画面向けデータの概観データを案内表示する第１の表示手段と、
前記第１の表示手段に表示されている概観データの中から任意のコンテンツを選択する選択手段と、
前記選択手段によりコンテンツが選択される毎にその選択コンテンツの内容を第２の表示手段に配置表示させながら前記情報量の多い画面向けデータを前記情報量の少ない画面向けデータに変更する変更制御手段と、
を備えることを特徴とする携帯端末装置。
【請求項２】
前記情報量の多い画面向けデータを記憶管理する管理装置を通信ネットワークを介して接続する通信手段を更に備え、
前記変更制御手段は、前記選択手段によりコンテンツが選択される毎にその選択コンテンツの内容を前記管理装置から前記通信手段を介して取得して第２の表示手段に配置表示させながら前記情報量の多い画面向けデータを前記情報量の少ない画面向けデータに変更する、
ようにしたことを特徴とする請求項１記載の携帯端末装置。
【請求項３】
前記第１の表示手段に対応する第１のＷｅｂブラウザと前記第２の表示手段に対応する第２のＷｅｂブラウザとを更に備え、
前記通信手段は、前記いずれか一方のＷｅｂブラウザからの要求を前記通信ネットワーク及び管理装置を経由して他方のＷｅｂブラウザへ働きかけることにより前記管理装置との間でデータの送受信を行う、
ようにしたことを特徴とする請求項２に記載の携帯端末装置。
【請求項４】
前記通信手段は、前記変更制御手段によって第２の表示手段に表示されている各コンテンツの配置状態をページ構成変更用画面として前記通信ネットワークを介して前記管理装置に送信してその登録保存を指示する、
ようにしたことを特徴とする請求項２あるいは請求項３に記載の携帯端末装置。
【請求項５】
前記第１の表示手段は、前記情報量の多い画面向けデータを構成する各コンテンツの配置状態と共に少なくともいずれかのコンテンツの内容を省略形式で案内表示する、
ようにしたことを特徴とする請求項１〜請求項４のいずれかに記載の携帯端末装置。
【請求項６】
前記第１の表示手段は、前記選択手段により任意のコンテンツが選択された際にその選択されたコンテンツを識別表示すると共に、選択済みのコンテンツを識別表示する、
ようにしたことを特徴とする請求項１〜請求項５のいずれかに記載の携帯端末装置。
【請求項７】
前記変更制御手段は、前記選択手段によりコンテンツが選択される毎にその選択コンテンツの内容を第２の表示手段に配置表示させる場合に、その配置が可能な各位置を選択候補として案内表示すると共にその中から任意の候補が選択された場合にその選択候補の位置に前記選択手段により選択されたコンテンツの内容を配置表示させる、
ようにしたことを特徴とする請求項１〜請求項６のいずれかに記載の携帯端末装置。
【請求項８】
情報量の多い画面向けデータを情報量の少ない画面向けデータとして表示可能な携帯端末装置と、前記情報量の多い画面向けデータを記憶管理する管理装置が通信ネットワークを介して接続されている端末通信システムであって、
前記管理装置から送信された複数のコンテンツを含む情報量の多い画面向けデータの概観データを案内表示する第１の表示手段と、
前記第１の表示手段に表示されている情報量の多い画面向けデータの中から任意のコンテンツを選択する選択手段と、
前記選択手段により選択されたコンテンツを前記管理装置に送信した後に、前記管理装置からその選択コンテンツの内容を受信した場合に、この選択コンテンツの内容を前記第２の表示手段に配置表示させながら前記情報量の多い画面向けデータを前記情報量の少ない画面向けデータに変更する変更制御手段と、
を備えることを特徴とする端末通信システム。
【請求項９】
複数のコンテンツを含む情報量の多い画面向けデータの概観データを第１の表示手段に案内表示するステップと、
前記第１の表示手段に表示されている概観データの中から任意のコンテンツを選択するステップと、
前記コンテンツが選択される毎にその選択コンテンツの内容を第２の表示手段に配置表示させながら前記情報量の多い画面向けデータを前記情報量の少ない画面向けデータに変更するステップと、
を含むことを特徴とする端末通信方法。
【請求項１０】
コンピュータに対して、
複数のコンテンツを含む情報量の多い画面向けデータの概観データを第１の表示手段に案内表示する機能と、
前記第１の表示手段に表示されている概観データの中から任意のコンテンツを選択する機能と、
前記コンテンツが選択される毎にその選択コンテンツの内容を第２の表示手段に配置表示させながら前記情報量の多い画面向けデータを前記情報量の少ない画面向けデータに変更する機能と、
を実現させるためのプログラム。
【発明の詳細な説明】
【技術分野】
【０００１】
本発明は、情報量の多い画面向けデータを情報量の少ない画面向けデータとして表示可能な携帯端末装置、端末通信システム、端末通信方法及びプログラムに関する。
【背景技術】
【０００２】
一般に、携帯電話機などの携帯端末装置は、その端末画面が狭小であるためにパーソナルコンピュータ（ＰＣ）用のＷｅｂ（Ｗｏｒｌｄ  Ｗｉｄｅ  Ｗｅｂ）ページを表示しようとしても、限られた情報しか表示することができず、しかも見難い表示状態となってしまう。このようにＰＣ用Ｗｅｂページを端末画面にそのままで表示することができないために、従来では、ＰＣ用のＷｅｂページを端末用のＷｅｂページに変換して端末画面に表示するようにした技術が色々と提案されている。例えば、その一つとして特許文献１には、携帯端末装置からの要求に応じてＷｅｂサーバがＰＣ用のＷｅｂページを端末用のＷｅｂページに変換して端末装置に送信するようにした技術が開示されている。
【先行技術文献】
【特許文献】
【０００３】
【特許文献１】特開２００６−３３１３４２号公報
【発明の概要】
【発明が解決しようとする課題】
【０００４】
ところで、上述の技術にあっては、Ｗｅｂサーバ側でＰＣ用Ｗｅｂページを端末用Ｗｅｂページに変換するものであるが、ＰＣ用Ｗｅｂページの内容や各種のコンテンツの表示位置をユーザが使い易いように端末装置側でカスタマイズしようとしても、そのカスタマイズ中に表示できるコンテンツとしてどのようなものが存在しているのかが分かり難く、また、表示位置を変更する際にもどのようなコンテンツを選択したらよいか、他のコンテンツとの隣接関係はどうようになるかが分かり難く、その作業が煩雑なものとなるおそれがある。【０００５】
本発明の課題は、情報量の多い画面向けデータを情報量の少ない画面向けデータにユーザ側の指示に応じて変更する場合に、ユーザの意向に合った変更を容易に実現できるようにすることである。
【課題を解決するための手段】
【０００６】
上述した課題を解決するために本発明の携帯端末装置は、
情報量の多い画面向けデータを情報量の少ない画面向けデータとして表示可能な携帯端末装置であって、
複数のコンテンツを含む情報量の多い画面向けデータの概観データを案内表示する第１の表示手段と、
前記第１の表示手段に表示されている概観データの中から任意のコンテンツを選択する選択手段と、
前記選択手段によりコンテンツが選択される毎にその選択コンテンツの内容を第２の表示手段に配置表示させながら前記情報量の多い画面向けデータを前記情報量の少ない画面向けデータに変更する変更制御手段と、
を備えることを特徴とする携帯端末装置。【０００７】
上述した課題を解決するために本発明の端末通信システムは、
情報量の多い画面向けデータを情報量の少ない画面向けデータとして表示可能な携帯端末装置と、前記情報量の多い画面向けデータを記憶管理する管理装置が通信ネットワークを介して接続されている端末通信システムであって、
前記管理装置から送信された複数のコンテンツを含む情報量の多い画面向けデータの概観データを案内表示する第１の表示手段と、
前記第１の表示手段に表示されている情報量の多い画面向けデータの中から任意のコンテンツを選択する選択手段と、
前記選択手段により選択されたコンテンツを前記管理装置に送信した後に、前記管理装置からその選択コンテンツの内容を受信した場合に、この選択コンテンツの内容を前記第２の表示手段に配置表示させながら前記情報量の多い画面向けデータを前記情報量の少ない画面向けデータに変更する変更制御手段と、
を備えることを特徴とする端末通信システム。【０００８】
上述した課題を解決するために本発明の端末通信方法は、
複数のコンテンツを含む情報量の多い画面向けデータの概観データを第１の表示手段に案内表示するステップと、
前記第１の表示手段に表示されている概観データの中から任意のコンテンツを選択するステップと、
前記コンテンツが選択される毎にその選択コンテンツの内容を第２の表示手段に配置表示させながら前記情報量の多い画面向けデータを前記情報量の少ない画面向けデータに変更するステップと、
を含むことを特徴とする端末通信方法。【０００９】
上述した課題を解決するために本発明のプログラムは、
コンピュータに対して、
複数のコンテンツを含む情報量の多い画面向けデータの概観データを第１の表示手段に案内表示する機能と、
前記第１の表示手段に表示されている概観データの中から任意のコンテンツを選択する機能と、
前記コンテンツが選択される毎にその選択コンテンツの内容を第２の表示手段に配置表示させながら前記情報量の多い画面向けデータを前記情報量の少ない画面向けデータに変更する機能と、
を実現させるためのプログラム。
【発明の効果】
【００１０】
本発明によれば、情報量の多い画面向けデータを情報量の少ない画面向けデータにユーザ側の指示に応じて変更する場合に、ユーザの意向に合った変更を容易に実現することができ、利便性に富んだものとなる。
【図面の簡単な説明】
【００１１】
【図１】携帯電話機１が利用可能な通信ネットワークシステム（端末通信システム）を示したブロック図。
【図２】携帯電話機１の外観を示した概略的に示した図。
【図３】携帯電話機１の基本的な構成要素を示したブロック図。
【図４】ソーシャルネットワークのＰＣ用のＷｅｂページをＰＣ画面上で表示したものとした場合を例示した図。
【図５】図４のＰＣ用Ｗｅｂページを携帯電話機１側でアクセスした際に表示可能なＷｅｂ画面データを示した図。
【図６】図５に示した端末用のＷｅｂ画面データと同様の画面データを示した図。
【図７】図４で示したＰＣ用Ｗｅｂページの概観ページが画面乙Ｄ２に表示された表示状態を示した図。
【図８】図７の概観ページの中からユーザが所望するコンテンツが選択された際の画面甲Ｄ１の表示状態を示した図。
【図９】図８に示すように任意のコンテンツがユーザ選択された場合に、そのコンテンツの内容が画面甲Ｄ１に表示された状態を例示した図。
【図１０】図７の場合に続けて更に他のコンテンツが選択された場合の表示状態を示した図。
【図１１】前回選択されたコンテンツに対して今回選択されたコンテンツをどの位置に配置するかを案内するガイド（指示棒）を画面甲Ｄ１に表示された状態を示した図。
【図１２】ガイド（指示棒）のうち下側の指示棒が選択された場合に、今回選択されたコンテンツＣ４の内容がその指示棒の位置に配置された場合での画面乙Ｄ２の表示状態を示した図。
【図１３】携帯電話機１とＷｅｂサーバ２との間で逐次実行される動作のシーケンスを示した図。
【図１４】付記１を説明するための図。
【発明を実施するための形態】
【００１２】
以下、図１〜図１３を参照して本発明の実施形態を説明する。
この実施形態は、通信端末装置として携帯電話機に適用した場合を例示したもので、図１は、携帯電話機が利用可能な通信ネットワークシステム（端末通信システム）を示したブロック図である。
端末通信システムは、携帯電話機１、Ｗｅｂサーバ（管理装置）２を含む構成で、携帯電話機１は、通話機能、電子メール機能、インターネット接続機能（Ｗｅｂアクセス機能）などを備え、無線通信網（移動体通信網）３に接続されると、この無線通信網３を介して他の携帯電話機（図示省略）との間で通信が可能な状態となり、また、無線通信網３を介してインターネット４に接続されると、Ｗｅｂサーバ（管理装置）２からのＷｅｂページを閲覧可能な状態となる。
【００１３】
Ｗｅｂサーバ（管理装置）２は、各種のＷｅｂコンテンツを記憶管理したり、後述するが、ユーザ別にカスタマイズされたＷｅｂページ画面構成データを記憶管理したりする記憶装置２１が接続されており、携帯電話機１からの閲覧要望に応じてＷｅｂページを要求元の携帯電話機１に送信するようにしている。なお、Ｗｅｂサーバ２は、ソーシャルネットワークサービスに対応可能なもので、携帯電話機１は、そのサービスに登録しているユーザに関する情報が記述されているＷｅｂページにより閲覧可能となっている。
【００１４】
図２は、携帯電話機１の外観を示した概略的に示した図である。
携帯電話機１は、その見開き型の筐体を有し、各々に表示部を備えた二つの筐体、つまり、表示部筐体５、６を、ヒンジ部７を介して折り畳み自在（開閉自在）に取り付けた折り畳みタイプ（開閉式）の携帯電話機である。表示部筐体５は、画面甲Ｄ１を備えた筐体、また、表示部筐体６は、画面乙Ｄ２を備えた筐体で、この表示部筐体５、６は、同形同大の長方体を成している。なお、画面甲Ｄ１、画面乙Ｄ２は、縦横比（アスペクト比）の異なる画面で、長方体の表示部筐体５、６が縦向きであるか横向きであるかに応じて、縦長画面あるいは横長画面となるもので、図示の例では、表示部筐体５、６を縦向きにして見開いた状態を示し、この見開き状態において画面甲Ｄ１、画面乙Ｄ２は、それぞれ左右に開いた縦長画面となり、画面甲Ｄ１は左側に位置し、画面乙Ｄ２は右側に位置する画面となる。
【００１５】
携帯電話機１は、各画面甲Ｄ１、画面乙Ｄ２に対応して二つのアプリケーション機能（Ｗｅｂブラウザ）を起動可能となっており、この二つのＷｅｂブラウザによりＷｅｂサーバ（管理装置）２からのＷｅｂページを対応する画面甲Ｄ１、画面乙Ｄ２に表示させるようにしている。画面甲Ｄ１、画面乙Ｄ２には、その表面略全域にタッチパネル（図示省略）が配設されており、ユーザのタッチ操作に応じてコマンド入力が可能となっている。表示部筐体５の表面下部には、ユーザインターフェース用として各種の押しボタン式キーＢ１、Ｂ２、Ｂ３が配設されている。
【００１６】
図３は、携帯電話機１の基本的な構成要素を示したブロック図である。
携帯電話機（携帯端末装置）は、ＣＰＵ１１を中核とするもので、このＣＰＵ１１は、二次電池（図示省略）からの電力供給によって動作し、ＲＯＭ１２内の各種のプログラムに応じてこの携帯電話機１の全体動作を制御する。ＲＯＭ１２は、ＣＰＵ１１が実行する各種制御用プログラムや固定データが格納されているリード・オンリ・メモリであり、フラッシュメモリなどの不揮発メモリを用いるようにしてもよい。ＲＡＭ１３は、ランダム・アクセス・メモリであり、ＣＰＵ１１がプログラムを実行する際に必要となるデータを保持したり、画面に表示するデータを保持するビデオＲＡＭとして、またワークメモリとして使用されたりする。
【００１７】
画面甲コントローラ１４は、画面甲Ｄ１に表示されるデータをＲＡＭ１３のビデオＲＡＭ領域から読み出してタイミングを調整しながら画面甲Ｄ１へ映像データを出力する。画面甲操作部１５は、タッチスクリーンを構成するもので、画面甲Ｄ１上に配設されたタッチパネルに指やスタイラスペンなどが接触されると、その位置情報を入力するタッチ操作部である。同様に、画面乙コントローラ１６は、画面乙Ｄ２に表示されるデータをＲＡＭ１３のビデオＲＡＭ領域から読み出してタイミングを調整しながら画面乙Ｄ２へ映像データを出力する。画面乙操作部１７は、タッチスクリーンを構成するもので、画面乙Ｄ２上に配設されたタッチパネルに指やスタイラスペンなどが接触されると、その位置情報を入力するタッチ操作部である。
【００１８】
キー操作部１８は、上述した各種のキーＢ１、Ｂ２、Ｂ３を有し、そのキー操作に応じた操作信号をＣＰＵ１１に与える。無線変調復調モジュール１９は、携帯電話機１とＷｅｂサーバ２との間において公衆回線網（無線通信網３、インターネット４）を介してデータをやり取りできるようにするために携帯電話機１から送出するデータを変調したり、公衆回線網から受信したデータを復調したりする通信部で、公衆回線アンテナ（送受信用アンテナ）ＡＮＴが接続されている。
【００１９】
図４は、ソーシャルネットワークで使用されるＰＣ用ＷｅｂページをＰＣ画面上で表示したものとした場合を例示した図である。
ＰＣ用Ｗｅｂページは、複数のコンテンツを含む情報量の多い画面向けデータで、このＷｅｂページ上に複数のコンテンツＣ１〜Ｃ７が配置されている。なお、コンテンツＣ１は、ソーシャルネットワークにログインしているユーザに関する情報（名前及びそのイラスト）である。コンテンツＣ２は、ソーシャルネットワークに登録しているユーザのうち、コンテンツＣ１で示すユーザの友人として登録してある他のユーザに関する情報（名前及びそのイラスト）である。コンテンツＣ３は、ログインユーザに対するソーシャルネットワークサービスからのお知らせを示し、例えば、他のユーザからログインユーザ宛の個人的な伝言などの情報である。
【００２０】
コンテンツＣ４は、ログインユーザの友人として登録してある他のユーザが自分の現在の状況を伝えるためにソーシャルネットワークに書き込んだ「つぶやき」と呼ばれる短い文を時系列で並べた情報である。コンテンツＣ５はログインユーザの友人として登録してある他のユーザが書き込んだ日記を時系列で並べた情報である。コンテンツＣ６は新聞社や放送局がインターネットで配信するニュースへのリンクであり、現在のニュースのトピックス情報である。コンテンツＣ７はユーザ操作により選択可能な各種の機能に対応してその機能名を列記されている機能ボタンが横方向に並列されており、その中から任意の機能ボタンが操作されると、それに対応する機能を処理する別画面に遷移するようになっている。
【００２１】
図５は、図４のＰＣ用Ｗｅｂページを携帯電話機１側でアクセスした際に表示可能なＷｅｂ画面データを示した図である。
図４のＰＣ用Ｗｅｂページを携帯電話機１にそのまま表示させることは、情報量が多く、全く同じ画面構成で同じ情報を表示することは困難となり、また、全体を縮小して表示すると、文字が小さくなり解読が難しくなるために、例えば、各コンテンツの内容を簡素化して情報量を減らしたり画面構成を変更したりすることにより省略形式で記述した端末用のＷｅｂ画面データに変更するようにしているが、図５は、このようにして変更した端末用のＷｅｂ画面データを例示した図である。
【００２２】
図５の端末用Ｗｅｂ画面データの全体は、図４のＰＣ用Ｗｅｂページに比べて縦長の形状となり、友人のイラストを省略したり各コンテンツの配置状態を変更したりして情報量の少ないデータとなるが、それでも端末画面にその全体を表示することが困難であるために、そのデータの一部（図中、破線で囲んだ部分）、つまり、略上半分のデータｄｔ１のみを表示させ、その他の略下半分のデータｄｔ２は、スクロール操作により表示可能としている。
【００２３】
すなわち、略上半分のデータｄｔ１が画面甲Ｄ１あるいは画面乙Ｄ２に表示されている状態において、その画面の画面甲操作部１５あるいは画面乙操作部１７に対してタッチ操作（スクロール操作）が行われて未表示データのスクロール表示が指示されると、ＣＰＵ１１は、画面甲コントローラ１４あるいは画面乙コントローラ１６にスクロール表示を指示する。画面甲コントローラ１４あるいは画面乙コントローラ１６は、ＲＡＭ１３のビデオＲＡＭ領域に格納されている未表示のデータｄｔ２を順次読み出して、画面甲Ｄ１あるいは画面乙Ｄ２に対して順次出力することにより未表示のデータｄｔ２をスクロール表示させる。
【００２４】
図６は、図５に示した端末用のＷｅｂ画面データと同様の画面データを示した図であるが、図６では、図中、破線で囲んだ部分のように、端末用のＷｅｂ画面データを構成単位毎（コンテンツ毎）のブロックに区切った状態を示している。この場合、端末用Ｗｅｂ画面データ上に配置されている複数のコンテンツＣ１〜Ｃ７は、図４に示すＰＣ用Ｗｅｂページ上に配置されている複数のコンテンツＣ１〜Ｃ７に対応しているが、そのコンテンツの内容は例えば、情報量を減らしたり、画面構成を変更したりする省略形式で記述されたものとなっている。
【００２５】
図７は、図４で示したＰＣ用Ｗｅｂページの概観ページを示した図で、ＰＣ用Ｗｅｂページをユーザの意向に合った内容にカスタマイズする際に画面乙Ｄ２に表示される。
図４のＰＣ用Ｗｅｂページを携帯電話機１にそのまま表示させることは、情報量が多く、全く同じ画面構成で同じ情報を表示することは困難となり、また、全体を縮小して表示すると、文字が小さくなり解読が難しくなるために、例えば、ＰＣ用Ｗｅｂページのうち重要でない部分は縮小して概観のみ分かるようにし、重要な部分については残すようにしているが、図７は、このようにしてＰＣ用Ｗｅｂページを基に変更（生成）された概観ページを例示した図である。この概観ページの全体は、図４のＰＣ用Ｗｅｂページと同様であり、図中、複数のコンテンツＣ１〜Ｃ７は、図４に示すＰＣ用Ｗｅｂページ上に配置されている複数のコンテンツＣ１〜Ｃ７に対応している。
【００２６】
図７の概観ページは、各コンテンツのうち重要な部分、例えば、コンテンツＣ１のログインユーザ名、コンテンツＣ２の「友人」、コンテンツＣ３の「お知らせ」、コンテンツＣ４の「最新のつぶやき」、コンテンツＣ５の「日記」、コンテンツＣ６の「ニュース」、コンテンツＣ７の各テキストは、ユーザの読めるフォントサイズとし、それ以外の内容に関する部分については、重要でないためにその概略だけ分かるように縮小表示したり、イメージだけつかめるようにするために、例えば、文字が表示される部分を「ｘ」や「●」などの文字で代替えしたりするようにしている。これによって情報量の多い画面向けデータ（ＰＣ用Ｗｅｂページ）は、それを構成する各コンテンツの配置状態を示すＷｅｂページ（概観ページ）に変更される。
【００２７】
図８は、ＰＣ用Ｗｅｂページをユーザの意向に合った内容のＷｅｂページにカスタマイズする際に、図７の概観ページの中からユーザが所望するコンテンツが選択された際の画面甲Ｄ１の表示状態を示した図である。
図示の例では、図７の概観ページに配置されている複数のコンテンツＣ１〜Ｃ７の中からユーザの所望するコンテンツとして、各種の機能ボタンが列記されているコンテンツＣ７が選択された場合を例示したもので、その選択コンテンツを識別表示するために図示の例ではコンテンツＣ７のブロック領域を示す外枠部分を太線によって強調表示するようにしている。
【００２８】
図９は、図８に示すように任意のコンテンツがユーザ選択された場合に、そのコンテンツの内容が画面甲Ｄ１に表示された状態を例示した図である。
図８の例ではコンテンＣ７が選択された場合であるからその選択コンテンツの内容が表示されるが、その際、図６に示した端末用Ｗｅｂ画面データのうち該当するコンテンツの内容が表示される。すなわち、コンテンＣ７は、各種の機能ボタンが列記されたデータであり、図４に示すようにＰＳ用Ｗｅｂページでは、各種の機能ボタンが横一列に並んでいる構成であるのに対して、図６に示すように端末用Ｗｅｂ画面データでは各種の機能ボタンが縦方向に並列されていて横方向がコンパクト化されたデータとなっているが、このコンパクト化されたデータが選択コンテンの内容として表示される。
【００２９】
図１０は、図７の場合に続けて更に他のコンテンツが選択された場合の表示状態を示した図である。
この場合、先に選択した選択済みのコンテンツＣ７を選択候補から外すために、つまり、そのコンテンツが目立たないようにするためにその全体の表示色を薄くするようにしている。この状態において、次のコンテンツとして、図示の例では、「最近のつぶやき」が列記されているコンテンツＣ４が選択されると、その選択コンテンツを識別表示するためにそのコンテンツＣ４のブロック領域を示す外枠部分を太線によって強調表示するようにしている。
【００３０】
図１１は、図１０に示すようにコンテンツが選択された場合に、前回選択されたコンテンツに対して今回選択されたコンテンツをどの位置に配置するかを案内するガイド（指示棒）が画面甲Ｄ１に表示された状態を示した図である。
図示の例においてガイド（指示棒）Ｇ１、Ｇ２は、前回選択されたコンテンツＣ７の上下方向に配置されており、その上側に配置されている指示棒Ｇ１あるいは下側に配置されている指示棒Ｇ２のうち、そのいずれかの指示棒がユーザ操作により選択されると、選択された指示棒の配置位置に、今回選択されたコンテンツの内容が画面甲Ｄ１に表示される。なお、ガイド（指示棒）Ｇ１、Ｇ２は、前回選択されたコンテンツＣ７の上下方向に配置される場合に限らず、画面甲Ｄ１に収まる範囲であれば、上下左右あるいは斜め方向であってもよい。
【００３１】
図１２は、ガイド（指示棒）Ｇ１、Ｇ２のうち下側の指示棒Ｇ２が選択された場合に、今回選択されたコンテンツＣ４の内容がその指示棒Ｇ２の位置に配置された場合での画面甲Ｄ１の表示状態を示した図である。
この場合、図４に示すようにＰＳ用ＷｅｂページのコンテンツＣ４には、友人毎のイラストが含まれているが、図６に示すように端末用ＷｅｂページのコンテンツＣ４には、この友人毎のイラストが省略されているので、この省略形式のデータが選択コンテンの内容として指示棒Ｇ２の位置に配置表示される。これによって生成されたデータが情報量の少ない画面向けデータとなる。
【００３２】
このようにしてユーザは、ＰＣ用Ｗｅｂページをユーザの意向に合った内容のページ構成にカスタマイズするようにしているが、これによってカスタマイズされたページ構成は、Ｗｅｂサーバ２側に記憶管理される。この状態において、同じユーザからＷｅｂページの閲覧が要求されると、Ｗｅｂサーバ２は、要求されたＷｅｂ画面ページを、上述のようにカスタマイズされたページ構成に変更することにより情報量の少ない画面向けデータとして携帯電話機１に送信するようにしている。
【００３３】
次に、実施形態において携帯電話機１とＷｅｂサーバ２との間で逐次実行される動作を図１３に示すシーケンスを参照して説明する。ここで、このシーケンスに記述されている各機能は、読み取り可能なプログラムコードの形態で格納されており、このプログラムコードにしたがった動作が逐次実行される。なお、図中、ステップ「Ａ０１」〜「Ａ２６」は、携帯電話機１とＷｅｂサーバ２との間における動作手順を示し、その番号順にしたがった動作が行われる。
ユーザは、画面甲Ｄ１でＷｅｂページを閲覧しているとし、画面甲Ｄ１に図２の破線部分のデータｄａが表示されているものとする。この状態において、ユーザが表示中のＷｅｂページの構成を変えたいと思ったときは、画面甲Ｄ１に触れ、ページ構成を変更するメニューを表示させることによりページ構成変更を指示する。
【００３４】
ユーザが画面甲Ｄ１に触れることで、画面甲操作部１５からＣＰＵ１１へユーザからの入力内容が伝えられる。ユーザからの入力内容を元にＣＰＵ１１はメニューの映像データをＲＯＭ１２から読み出し、ＲＡＭ１３内のビデオＲＡＭ領域へ書き込む。このビデオＲＡＭ領域の映像データは、画面甲コントローラ１４によって読み出された後、画面甲Ｄ１へ出力され、これにより画面甲Ｄ１には、ページ構成を変更用のメニューが表示される。ここで、ユーザがページ構成変更用のメニューを触れたときも同様の動作でユーザからページ構成変更要望がＣＰＵ１１に伝えられる。
【００３５】
図１３ではステップ「Ａ０１」がユーザからのページ構成変更要望を示している。このページ構成変更要望は画面甲Ｄ１に表示されているＷｅｂブラウザソフトが受け、この要望を元にＷｅｂブラウザソフトは、Ｗｅｂサーバ２へユーザからページ構成変更要望があった旨を伝える（ステップＡ０２）。この場合、ＣＰＵ１１はページ構成変更要望データを無線変調復調モジュール１９へ送り、そこで変調されたデータはＷｅｂサーバ２へ送られる。
【００３６】
このページ構成変更要望データを受けたＷｅｂサーバ２はそれに付随する記憶装置２１に対してページ構成変更用画面（Ｗｅｂ画面データ）を要求し（ステップＡ０３）、それに対して記憶装置２１からページ構成変更用画面が送られる（ステップＡ０４）。このページ構成変更用画面は、Ｗｅｂサーバ２から携帯電話機１の画面乙Ｄ２のＷｅｂブラウザへ送られ（ステップＡ０５）、このページ構成変更用画面を元にＷｅｂ画面データを生成したのち、このＷｅｂブラウザは画面乙Ｄ２へそのＷｅｂ画面データを出力する（ステップＡ０６）。
【００３７】
この場合、Ｗｅｂサーバ２から送られてきたページ構成変更用画面は、無線変調復調モジュール１９で復調されたのち、ＣＰＵ１１へデータ受信した旨が伝えられる。ＣＰＵ１１はこの構成変更用のデータをＲＡＭ１３へ転送し、その構成データを元にＷｅｂ画面を構築、画面データをＲＡＭ１３上のビデオＲＡＭ領域へ格納する。このビデオＲＡＭ領域の映像データは画面甲コントローラ１４によって読み出された後、画面甲Ｄ１へ出力され、これにより画面甲Ｄ１にページ構成変更用画面が表示されるが、この時点ではページ構成変更用画面は、まだ何も表示されていない状態にある。
【００３８】
次に、画面乙Ｄ２上で動作するＷｅｂブラウザの起動を通知する（ステップＡ０７）。この通知はＷｅｂサーバ２からＷｅｂ画面構成データと共に送られてきたもので、画面乙Ｄ２用のＷｅｂブラウザで表示するＷｅｂページのＵＲＬアドレスも含まれている。これによって起動した画面乙Ｄ２のＷｅｂブラウザは、このＵＲＬアドレスへアクセスして、Ｗｅｂ画面データを要求する（ステップＡ０８）。このＵＲＬアドレスはページ構成変更用として作られたアドレスであり、ページ構成変更時にユーザがコンテンツを選択するために用いるページ構成変更用画面を示している。この画面乙Ｄ２のＷｅｂブラウザがＷｅｂ画面データを要求したときの動作は、上述した画面甲Ｄ１のＷｅｂブラウザがページ構成変更要望データをＷｅｂサーバ２へ送ったときと同じであるためにその説明は省略するものとする。
【００３９】
Ｗｅｂ画面データ要求を受けたＷｅｂサーバ２は、画面乙Ｄ２に表示させる際にベースとなるＰＣ用のＷｅｂページを記憶装置２１に要求し（ステップＡ０９）、それに応じてＰＣ用Ｗｅｂページが記憶装置２１から出力される（ステップＡ１０）。なお、このＷｅｂページは、ＰＣ用のデータで情報量が多いために、Ｗｅｂサーバ２は、このＷｅｂページのうち重要でない部分は縮小して概観のみ分かるようにするが、重要な部分は残るようにしている。このようにＰＣ用のＷｅｂページに変換をかけ、図７に示すようなＷｅｂページ（概観ページ）を生成して、画面乙Ｄ２のＷｅｂブラウザへ送る（ステップＡ１１）。この画面乙Ｄ２のＷｅｂブラウザは、このＷｅｂページ（概観ページ）を元にＷｅｂ画面を生成したのち、画面乙Ｄ２にそのＷｅｂ画面を出力させる（ステップＡ１２）。
【００４０】
この場合、Ｗｅｂサーバ２から送られてきたＷｅｂ画面データ（概観ページ）は、無線変調復調モジュール１９で復調されたのち、ＣＰＵ１１へデータ受信した旨が伝えられる。ＣＰＵ１１はこの概観ページをＲＡＭ１３へ転送し、そのデータを元にＷｅｂ画面を構築し、その画面データをＲＡＭ１３上のビデオＲＡＭ領域へ格納する。このビデオＲＡＭ領域の映像データは画面乙コントローラ１６によって読み出された後、画面乙Ｄ２へ出力される結果、画面乙Ｄ２には、図７のＰＣ用Ｗｅｂページを元に作られた概観ページが表示される。以上の動作から、画面甲Ｄ１にはページ構成変更用画面が、また画面乙Ｄ２にはＰＣ用Ｗｅｂページを元に作られたＷｅｂページ（概観ページ、以下、ユーザ選択用画面と称する）が表示されることになる。この状態ではまだページ構成変更用画面には何も表示されていない。
【００４１】
次に、これら２つの画面（ページ構成変更用画面、ユーザ選択用画面）を用いてＰＣ用Ｗｅｂページを端末用Ｗｅｂ画面データにカスタマイズする場合の動作について説明する。
ユーザは、画面乙Ｄ２に表示されている図７のユーザ選択用画面（概観ページ）の中で、最初に配置したいコンテンツを画面乙Ｄ２に指で触れて選択する。いま、コンテンツＣ７を選択したことにすると、画面乙操作部１７より画面乙Ｄ２のＷｅｂブラウザへ選択の通知が送られる（ステップＡ１３）。この通知を元に、ＷｅｂブラウザはＷｅｂサーバ２へコンテンツＣ７が選択された旨を通知する（ステップＡ１４）。なお、この場合のＷｅｂサーバ２への通知動作は、上述したページ構成変更要望データをＷｅｂサーバ２へ送ったときと同様のためにその説明は省略するものとする。Ｗｅｂサーバ２は、ユーザが選択したコンテンツＣ７が視覚的に分かるようにコンテンツＣ７に対して識別表示（太線強調）を施した図８に示すようなＷｅｂページを生成する。
【００４２】
このようなＷｅｂページを生成するためにＷｅｂサーバ２は、記憶装置２１に対しコンテンツＣ７を強調したデータを要求し（ステップＡ１５）、これに応答して記憶装置２１はそのＷｅｂページが出力されると（ステップＡ１６）、このＷｅｂページはＷｅｂサーバ２７から画面乙Ｄ２のＷｅｂブラウザへ送られる（ステップＡ１７）。この画面乙Ｄ２のＷｅｂブラウザは、このＷｅｂページを元にＷｅｂページを生成して画面乙Ｄ２へ出力する（ステップＡ１８）。これにより画面乙Ｄ２にはコンテンツＣ７の部分が強調されたＷｅｂページが表示される。
【００４３】
そして、コンテンツＣ７の選択に応じて、その選択コンテンツの内容が画面甲Ｄ１に表示される。すなわち、画面乙Ｄ２のＷｅｂブラウザからコンテンツＣ７が選択されたことの通知（ステップＡ１４）に対し、Ｗｅｂサーバ２は、コンテンツＣ７に対応した図９に示すＷｅｂ画面データをページ構成変更画面として画面甲Ｄ１に表示させるために画面甲Ｄ１のＷｅｂブラウザに対して、図９のＷｅｂ画面データを送出する（ステップＡ１９）。画面甲Ｄ１のＷｅｂブラウザは、このＷｅｂ画面データを元にＷｅｂ画面を構築し、画面甲Ｄ１に出力する（ステップＡ２０）。以上のようにすることで、画面乙Ｄ２に表示されているユーザ選択用画面上においてユーザが任意のコンテンツを選択すると、その選択コンテンツに対応して端末画面用に整形されたコンテンツがページ構成変更画面として画面甲Ｄ１に表示される。
【００４４】
次に、例えば、図９のコンテンツＣ７の下側に他のコンテンツＣ４を配置する場合の動作について説明する。いま、ユーザ選択用画面に表示されているコンテンツＣ４を指で触れて選択すると、画面乙操作部１７より画面乙Ｄ２のＷｅｂブラウザへコンテンツＣ４の選択が通知されるので（ステップＡ１３）、このＷｅｂブラウザは、Ｗｅｂサーバ２へコンテンツＣ４が選択されたことを通知する（ステップＡ１４）。この場合、Ｗｅｂサーバ２は、ユーザが選択したコンテンツＣ４が視覚的に分かるように、図１０に示すようにそのコンテンツＣ４を識別表示（太線強調）したＷｅｂページを生成する。この場合、先に選択されたコンテンツＣ７は、非選択状態（選択済み）であることを示すために、その表示色を薄くしている。このＷｅｂページを記憶装置２１から取得して、画面乙Ｄ２のＷｅｂブラウザへ送られる。このＷｅｂブラウザは、このＷｅｂページデータを元にＷｅｂページを生成して画面乙Ｄ２へ出力する。
【００４５】
このようにコンテンツＣ４が選択されたことにより、この選択されたコンテンツを配置できる場所の候補が画面甲Ｄ１上に表示される。この方法は、画面乙Ｄ２のＷｅｂブラウザからコンテンツＣ４が選択されたことの通知に対し、Ｗｅｂサーバ２は、コンテンツＣ４を配置できる場所を示す指示棒Ｇ１、Ｇ２を表示した図１１のようなＷｅｂページを画面甲Ｄ１に表示させるため、そのＷｅｂブラウザに対して図１１のＷｅｂページを送出する（ステップＡ１９）。画面甲Ｄ１のＷｅｂブラウザは、そのデータを元にＷｅｂ画面を構築し、その画面データを画面甲Ｄ１に出力する（ステップＡ２０）。以上のようにすることで、画面乙Ｄ２に表示されているユーザ選択用画面に対し、ユーザがコンテンツを画面乙Ｄ２上で選択すると、その選択されたコンテンツを配置可能な場所の候補を指示棒で示されているＷｅｂ画面がページ構成変更用画面として画面甲Ｄ１に表示される。
【００４６】
ユーザはコンテンツＣ４を配置できる場所の候補の中から、自分の配置したい場所を選択するが、その際、画面甲Ｄ１に表示されている指示棒Ｇ１、Ｇ２のいずれか一つを指で触れて選択する。この選択により、画面甲操作部１５より画面甲Ｄ１のＷｅｂブラウザへ指示棒選択の通知を行う（ステップＡ２１）。この通知を元に、Ｗｅｂブラウザは、Ｗｅｂサーバ２へ指示棒Ｇ２が選択された旨を通知する（ステップＡ２２）。Ｗｅｂサーバ２は、ユーザが選択した指示棒の位置にコンテンツＣ４の内容を配置した図１２に示すようなＷｅｂページを生成する。
【００４７】
このようなＷｅｂページのデータを生成するため、Ｗｅｂサーバ２は記憶装置２１に対し図１２のＷｅｂページを要求し（ステップＡ２３）、記憶装置２１はＷｅｂページを出力する（ステップＡ２４）。また、記憶装置２１には、ユーザの選択したコンテンツの配置情報が記録保存される。このＷｅｂページはＷｅｂサーバ２から画面甲Ｄ１のＷｅｂブラウザへ送られる（ステップＡ２５）。この画面甲Ｄ１のＷｅｂブラウザは、Ｗｅｂページを元にＷｅｂ画面を生成して画面乙Ｄ２へ出力する（ステップＡ２５）。以上を繰り返すことで、最終的に図６で示すような端末向けＷｅｂページがユーザの要望どおりに作成されることになる。
【００４８】
携帯電話機１は、画面乙Ｄ２に表示されている各コンテンツの配置状態をページ構成変更データとしてＷｅｂサーバ２に送信してその登録保存を指示すると、Ｗｅｂサーバ２は、そのユーザに対応してページ構成変更データを記憶装置２１に登録保存させる。このようにページ構成変更データ（コンテンツの配置状態）が登録保存されている状態において、同じユーザからＷｅｂページが要求された場合に、Ｗｅｂサーバ２は、そのユーザに対応して登録保存されているページ構成変更データを基にＷｅｂページを再構築して携帯電話機１のＷｅｂブラウザに送信する。
【００４９】
以上のように、実施形態において携帯電話機１は、画面甲Ｄ１及び画面乙Ｄ２を備え、情報量の多い画面向けデータの概観が画面（ユーザ選択用画面）Ｄ２上に案内表示されている状態において、任意のコンテンツが選択される毎に、その選択コンテンツの内容を画面甲Ｄ１に配置表示させながら情報量の多い画面向けデータを情報量の少ない画面向けデータに変更するようにしたので、画面甲Ｄ１及び画面乙Ｄ２の内容を見比べながら、ユーザの意向に合った変更を容易に実現することができ、利便性に富んだものとなる。
【００５０】
携帯電話機１は、コンテンツが選択される毎にその選択コンテンツの内容をＷｅｂサーバ２から取得して画面乙Ｄ２に配置表示させながら情報量の多い画面向けデータを情報量の少ない画面向けデータに変更するようにしたので、Ｗｅｂページの各コンテンツをユーザの好みに合わせて配置することができる。
【００５１】
画面甲Ｄ１に対応するＷｅｂブラウザと画面乙Ｄ２に対応するＷｅｂブラウザとを更に備え、そのいずれか一方のＷｅｂブラウザからの要求をＷｅｂサーバ２を経由して他方のＷｅｂブラウザへ働きかけることによりＷｅｂサーバ２との間でデータの送受信を行うようにしたので、専用のアプリケーションを使うことなく、既存のＷｅｂブラウザでＰＣ用Ｗｅｂページ（情報量の多い画面向けデータ）を端末用Ｗｅｂページ（情報量の少ない画面向けデータ）に変更することができる。
【００５２】
携帯電話機１は、画面乙Ｄ２に表示されている各コンテンツの配置状態をページ構成変更データとしてＷｅｂサーバ２に送信してその登録保存を指示するようにしたので、ページ構成変更データ（コンテンツの配置状態）を登録保存した後に、同じユーザからＷｅｂページが要求された場合に、Ｗｅｂサーバ２は、そのユーザに対応して登録保存されているページ構成変更データを基にＷｅｂページを再構築して携帯電話機１のＷｅｂブラウザに返すことができ、ユーザにあっては、何時でも自由にユーザの好みに合った配置状態のＷｅｂページを閲覧することが可能となる。
【００５３】
携帯電話機１は、情報量の多い画面向けデータ（ＰＣ用Ｗｅｂページ）を構成する各コンテンツの配置状態と共に少なくともいずれかのコンテンツの内容を省略形式で案内表示することにより、情報量の多い画面向けデータの概観を案内表示することができる。
【００５４】
携帯電話機１は、情報量の多い画面向けデータの概観が画面（ユーザ選択用画面）Ｄ２上に案内表示されている状態において、任意のコンテンツが選択された際にその選択されたコンテンツを識別表示すると共に、選択済みのコンテンツを識別表示するようにしたので、選択作業が容易なものとなる。
【００５５】
携帯電話機１は、コンテンツが選択される毎にその選択コンテンツの内容を画面乙Ｄ２に配置表示する場合に、その配置が可能な各位置を選択候補として案内表示すると共にその中から任意の候補が選択された場合にその選択候補の位置に選択コンテンツの内容を配置表示するようにしたので、配置可能な位置の案内にしたがって配置位置を決めることができ、配置作業が容易なものとなる。
【００５６】
なお、上述した実施形態においては、コンテンツが選択される毎にその配置が可能な各位置を選択候補として案内表示すると共にその中から任意の候補が選択された場合にその選択候補の位置に選択コンテンツの内容を配置表示するようにしたが、ユーザ操作により任意に指定された位置に選択コンテンツの内容を配置表示するようにしてもよい。この場合、選択コンテンツを縮小したり、変形したりして配置表示するようにしてもよい。
【００５７】
また、上述した実施形態においては、画面甲Ｄ１と画面乙Ｄ２とに物理的に分離した構成としたが、メイン画面とサブ画面とのように論理的に分離する関係としてもよい。
【００５８】
また、上述した実施形態において携帯電話機１は、Ｗｅｂサーバ（管理装置）２に公衆回線網を介して接続する構成としたが、Ｗｅｂサーバ機能のアプリケーションを＊側で動作させることにより同様の動作を行うようにしてもよい。
【００５９】
上述した実施形態においては、携帯端末装置として携帯電話機に適用した場合を示したが、デジタルカメラ（コンパクトカメラ）、ＰＤＡ（個人向け携帯型情報通信機器）、音楽プレイヤー、タブレット端末装置、スマートフォン以外の携帯電話機、電子ゲーム、音楽プレイヤーなどであってもよい。
【００６０】
その他、上述した第１及び第２実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６１】
この出願は、２０１２年４月１３日に出願された日本出願特願２０１２−０９１９２３号を基礎とする優先権を主張し、その開示を全てここに取り込む。
【００６２】
上記の各実施形態の一部又は全部は、以下の付記のように記載され得るが、これに限定されるものではない。以下、本発明の諸態様を付記としてまとめて記載する。
【００６３】
（付記１）
図１４は、付記１の構成図である。この図に示すように、付記１記載の発明は
情報量の多い画面向けデータを情報量の少ない画面向けデータとして表示可能な携帯端末装置であって、
複数のコンテンツを含む情報量の多い画面向けデータの概観データを案内表示する第１の表示手段１０１（図３ではＣＰＵ１１、画面乙コントローラ１６、画面乙Ｄ２、ＲＯＭ１２、ＲＡＭ１３）と、
前記第１の表示手段１０１に表示されている概観データの中から任意のコンテンツを選択する選択手段１０２（図３ではＣＰＵ１１、画面乙操作部１７、ＲＯＭ１２、ＲＡＭ１３）と、
前記選択手段１０２によりコンテンツが選択される毎にその選択コンテンツの内容を第２の表示手段１０３（図３ではＣＰＵ１１、画面甲コントローラ１４、画面甲Ｄ１、ＲＯＭ１２、ＲＡＭ１３）に配置表示させながら前記情報量の多い画面向けデータを前記情報量の少ない画面向けデータに変更する変更制御手段１０４（図３ではＣＰＵ１１、ＲＯＭ１２、ＲＡＭ１３）と、
を備えることを特徴とする携帯端末装置。
【００６４】
（付記２）
前記情報量の多い画面向けデータを記憶管理する管理装置を通信ネットワークを介して接続する通信手段を更に備え、
前記変更制御手段は、前記選択手段によりコンテンツが選択される毎にその選択コンテンツの内容を前記管理装置から前記通信手段を介して取得して第２の表示手段に配置表示させながら前記情報量の多い画面向けデータを前記情報量の少ない画面向けデータに変更する、
ようにしたことを特徴とする請求項１記載の携帯端末装置。
【００６５】
（付記３）
前記第１の表示手段に対応する第１のＷｅｂブラウザと前記第２の表示手段に対応する第２のＷｅｂブラウザとを更に備え、
前記通信手段は、前記いずれか一方のＷｅｂブラウザからの要求を前記通信ネットワーク及び管理装置を経由して他方のＷｅｂブラウザへ働きかけることにより前記管理装置との間でデータの送受信を行う、
ようにしたことを特徴とする請求項２に記載の携帯端末装置。
【００６６】
（付記４）
前記通信手段は、前記変更制御手段によって第２の表示手段に表示されている各コンテンツの配置状態をページ構成変更用画面として前記通信ネットワークを介して前記管理装置に送信してその登録保存を指示する、
ようにしたことを特徴とする請求項２あるいは請求項３に記載の携帯端末装置。
【００６７】
（付記５）
前記第１の表示手段は、前記情報量の多い画面向けデータを構成する各コンテンツの配置状態と共に少なくともいずれかのコンテンツの内容を省略形式で案内表示する、
ようにしたことを特徴とする請求項１〜請求項４のいずれかに記載の携帯端末装置。
【００６８】
（付記６）
前記第１の表示手段は、前記選択手段により任意のコンテンツが選択された際にその選択されたコンテンツを識別表示すると共に、選択済みのコンテンツを識別表示する、
ようにしたことを特徴とする請求項１〜請求項５のいずれかに記載の携帯端末装置。
【００６９】
（付記７）
前記変更制御手段は、前記選択手段によりコンテンツが選択される毎にその選択コンテンツの内容を第２の表示手段に配置表示させる場合に、その配置が可能な各位置を選択候補として案内表示すると共にその中から任意の候補が選択された場合にその選択候補の位置に前記選択手段により選択されたコンテンツの内容を配置表示させる、
ようにしたことを特徴とする請求項１〜請求項６のいずれかに記載の携帯端末装置。
【００７０】
（付記８）
情報量の多い画面向けデータを情報量の少ない画面向けデータとして表示可能な携帯端末装置と、前記情報量の多い画面向けデータを記憶管理する管理装置が通信ネットワークを介して接続されている端末通信システムであって、
前記管理装置から送信された複数のコンテンツを含む情報量の多い画面向けデータの概観データを案内表示する第１の表示手段と、
前記第１の表示手段に表示されている情報量の多い画面向けデータの中から任意のコンテンツを選択する選択手段と、
前記選択手段により選択されたコンテンツを前記管理装置に送信した後に、前記管理装置からその選択コンテンツの内容を受信した場合に、この選択コンテンツの内容を前記第２の表示手段に配置表示させながら前記情報量の多い画面向けデータを前記情報量の少ない画面向けデータに変更する変更制御手段と、
を備えることを特徴とする端末通信システム。
【００７１】
（付記９）
複数のコンテンツを含む情報量の多い画面向けデータの概観データを第１の表示手段に案内表示するステップと、
前記第１の表示手段に表示されている概観データの中から任意のコンテンツを選択するステップと、
前記コンテンツが選択される毎にその選択コンテンツの内容を第２の表示手段に配置表示させながら前記情報量の多い画面向けデータを前記情報量の少ない画面向けデータに変更するステップと、
を含むことを特徴とする端末通信方法。
【００７２】
（付記１０）
コンピュータに対して、
複数のコンテンツを含む情報量の多い画面向けデータの概観データを第１の表示手段に案内表示する機能と、
前記第１の表示手段に表示されている概観データの中から任意のコンテンツを選択する機能と、
前記コンテンツが選択される毎にその選択コンテンツの内容を第２の表示手段に配置表示させながら前記情報量の多い画面向けデータを前記情報量の少ない画面向けデータに変更する機能と、
を実現させるためのプログラム。
【符号の説明】
【００７３】
１  携帯電話機
２  Ｗｅｂサーバ（管理装置）
３  無線通信網
４  インターネット
５、６  表示部筐体
１１  ＣＰＵ
１２  ＲＯＭ
１３  ＲＡＭ
１４、１６  画面コントローラ
１５、１６  画面操作部
１８  キー操作部
１９  無線変調復調モジュール
ＡＮＴ  公衆回線アンテナ
Ｄ１、Ｄ２  画面
【図１】
2013153795.tif 000003
【図２】
2013153795.tif 000004
【図３】
2013153795.tif 000005
【図４】
2013153795.tif 000006
【図５】
2013153795.tif 000007
【図６】
2013153795.tif 000008
【図７】
2013153795.tif 000009
【図８】
2013153795.tif 000010
【図９】
2013153795.tif 000011
【図１０】
2013153795.tif 000012
【図１１】
2013153795.tif 000013
【図１２】
2013153795.tif 000014
【図１３】
2013153795.tif 000015
【図１４】
2013153795.tif 000016
【手続補正書】
【提出日】平成26年10月3日(2014.10.3)
【手続補正１】
【補正対象書類名】明細書
【補正対象項目名】００３３
【補正方法】変更
【補正の内容】
【００３３】
次に、実施形態において携帯電話機１とＷｅｂサーバ２との間で逐次実行される動作を図１３に示すシーケンスを参照して説明する。ここで、このシーケンスに記述されている各機能は、読み取り可能なプログラムコードの形態で格納されており、このプログラムコードにしたがった動作が逐次実行される。なお、図中、ステップ「Ａ０１」〜「Ａ２６」は、携帯電話機１とＷｅｂサーバ２との間における動作手順を示し、その番号順にしたがった動作が行われる。
ユーザは、画面甲Ｄ１でＷｅｂページを閲覧しているとし、画面甲Ｄ１に図５の破線部分のデータｄｔ１が表示されているものとする。この状態において、ユーザが表示中のＷｅｂページの構成を変えたいと思ったときは、画面甲Ｄ１に触れ、ページ構成を変更するメニューを表示させることによりページ構成変更を指示する。
【国際調査報告】
2013153795.tif 000017
2013153795.tif 000018